(57)【要約】      （修正有）【課題】電子回路が内蔵されたユニットを収納するスロットを複数備えた電子機器用筐体とユニットとで構成される電気装置において、ユニットの収納時点で誤収納に気付くことができる電気装置を提供する。【解決手段】電気装置は、スロット２ａに配置されたスロット側のレール６ａによりガイドされユニット３ａが収納される電子機器用筐体１とユニットとで構成される電気装置において、スロット側のレールはスロット毎に異なる断面形状とし、スロット側のレールと嵌合するユニット側のレール７ａをユニットの外壁面の後端から先端に配置する。【選択図】図１
2012186358.tif 000002
【特許請求の範囲】
【請求項１】
電子回路が内蔵されたユニットを収納する同じ大きさのスロットを複数備え、前記スロットの開口部の内壁面側から前記ユニットの収納方向に配置された第１のレールによりガイドされ前記ユニットが収納される電子機器用筐体と、前記ユニットとで構成される電気装置において、
前記第１のレールは、前記スロット毎に異なる断面形状とし、
前記第１のレールと嵌合する第２のレールを前記ユニットの外壁面の後端から先端に配置することを特徴とする電気装置。
【請求項２】
第１のレールは、同一断面形状でスロット毎にスロットの開口部の内壁面側の異なる位置に配置する
請求項１に記載の電気装置。
【請求項３】
第１のレール及び第２のレールは、ユニットとスロットと着脱可能とする
請求項１ないし請求項２に記載の電気装置。
【発明の詳細な説明】
【技術分野】
【０００１】
この発明は、電子回路が内蔵されたユニットを収納するスロットを複数備えた電子機器用筐体とユニットとで構成される電気装置に関する。
【背景技術】
【０００２】
近年、コストダウンの目的で、同じ大きさで同じ形状のユニットを用いながら中に実装する基板などの電気回路・電子部品をそれぞれ変えることによって、別の機能を持たせるものがある。
このユニットを使う電気装置は、複数のスロットを備え、スロット毎にユニットと接続する共通の接続コネクタを持ち、電源パッケージなどのユニットをスロットに収納すると、共通の接続コネクタを介してユニットと電気装置とが接続する構造となっている。
前記のような電気装置は、スロットが同じ大きさで同じ形状のため、間違ったスロットにユニットを収納すると、電気的に異なるユニットとスロットとの組合せのために動作が異常となり、最悪の場合、電気装置又はユニットが破損するという問題があった。
【０００３】
このユニットの誤収納を防止する対策として、特許文献１のように、ユニットである電源パッケージの外形の２箇所以上の所定位置に凸係合部又は凹係合部が突設され、電源パッケージが収納される以前に、その凸係合部又は凹係合部と係合するように凹係合部又は凸係合部がスロットであるシェルフの対応位置に設けられ、係合部の個数と位置の組合せで区別する電源パッケージの誤装着防止構造がある。
【先行技術文献】
【特許文献】
【０００４】
【特許文献１】特開平５−１９１０６４号公報（第２−３頁、図１）
【発明の概要】
【発明が解決しようとする課題】
【０００５】
特許文献１の電源パッケージの誤装着防止構造は、スロットにある程度までユニットを収納しなければ、誤収納に気付くことができず、ユニットを損傷させる場合があるという問題があった。
【０００６】
この発明は、ユニットの収納時点で誤収納に気付くことができる電気装置を提供することを目的とする。
【課題を解決するための手段】
【０００７】
この発明の電気装置は、電子回路が内蔵されたユニットを収納する同じ大きさのスロットを複数備え、スロットの開口部の内壁面側からユニットの収納方向に配置された第１のレールによりガイドされユニットが収納される電子機器用筐体とユニットとで構成される電気装置において、第１のレールは、スロット毎に異なる断面形状とし、第１のレールと嵌合する第２のレールを前記ユニットの外壁面の後端から先端に配置するものである。
【発明の効果】
【０００８】
この発明の電気装置は、電子回路が内蔵されたユニットを収納する同じ大きさのスロットを複数備え、スロットの開口部の内壁面側からユニットの収納方向に配置された第１のレールによりガイドされユニットが収納される電子機器用筐体とユニットとで構成される電気装置において、第１のレールは、スロット毎に異なる断面形状とし、第１のレールと嵌合する第２のレールを前記ユニットの外壁面の後端から先端に配置するもので、ユニットの収納時点で誤収納に気付くことができ、ユニットを損傷させない電気装置を提供できる。
【図面の簡単な説明】
【０００９】
【図１】この発明の実施の形態１における誤収納防止構造の斜視図である。
【図２】この発明の実施の形態１における誤収納防止のパターンの説明図である。
【図３】この発明の実施の形態２における誤収納防止構造の斜視図である。
【図４】この発明の実施の形態３における誤収納防止構造の斜視図である。
【図５】この発明の実施の形態３における誤収納防止のパターンの説明図である。
【発明を実施するための形態】
【００１０】
実施の形態１．
この発明の実施の形態１は、スロット毎に異なる断面形状の第１のレールを配置し、第１のレールと嵌合する第２のレールをユニットの外壁面の後端から先端に配置する電気装置である。
図１は、この発明の実施の形態１における電気装置の誤収納防止構造の斜視図である。図１において、（ａ）は、電子機器用筐体側の斜視図であり、（ｂ）は、ユニット側の斜視図である。図２は、この発明の実施の形態１における誤収納防止のパターンの説明図である。図２において、（ａ）は、誤収納防止のパターン１の説明図であり、（ｂ）は、誤収納防止のパターン２の説明図であり、（ｃ）は、誤収納防止のパターン３の説明図である。
【００１１】
この発明の実施の形態１における電気装置の誤収納防止構造について、図１をもとに説明する。
電気装置は、ユニットを収納するスロットを複数備える電子機器用筐体１と、ユニットとで構成される。
電子機器用筐体１は、同じ大きさのスロット２ａとスロット２ｂスロット２ｃとを水平方向に並設する。各スロットは、電子機器用筐体１と接続するスロット側の接続コネクタ４を内壁面の背面側に配置する。
スロット２ａは、電源関係の電子回路が内蔵されたユニット３ａを収納し、スロット２ｂは、通信関係の電子回路が内蔵されたユニット３ｂを収納し、スロット２ｃは、画像関係の電子回路が内蔵されたユニット３ｃを収納する。
各ユニットは、内蔵された電子回路と接続するユニット側の接続コネクタ５をユニットの外壁面の背面側に配置する。
スロットにユニットを収納すると、接続コネクタ４と接続コネクタ５とが嵌合して接続することで、ユニットに内蔵された電子回路と電子機器用筐体１とが接続される。
【００１２】
スロット２ａは、ユニット３ａの収納をガイドするスロット側のレール６ａをスロット２ａの内壁面の上面側に配置し、スロット２ｂは、ユニット３ｂの収納をガイドするスロット側のレール６ｂをスロット２ｂの内壁面の上面側に配置し、スロット２ｃは、ユニット３ｃの収納をガイドするスロット側のレール６ｃをスロット２ｃの内壁面の上面側に配置する。
なお、スロット側のレールの配置面は、この発明の実施の形態１でスロットの内壁面の上面側にするものに限定されず、スロットの内壁面の下面側にしてもよく、種々のパターンがあることは言うまでもない。
【００１３】
スロット側のレールは、スロット毎に全て異なる断面形状として、レール６ａは台形とし、レール６ｂは三角形とし、レール６ｃは長方形が２個とする。
なお、レールの断面形状は、この発明の実施の形態１に限定されず、種々のパターンがあることは言うまでもない。
【００１４】
レール６ａは、スロット２ａの開口部の内壁面側からユニット３ａの収納方向にスロット２ａの内壁面の背面側まで配置し、レール６ｂは、スロット２ｂの開口部の内壁面側からユニット３ｂの収納方向にスロット２ｂの内壁面の背面側まで配置し、レール６ｃは、スロット２ｃの開口部の内壁面側からユニット３ｃの収納方向にスロット２ｃの内壁面の背面側まで配置する。
なお、スロット側のレールは、スロットの開口部の内壁面側に配置されているならば、ユニットの収納方向に短く配置しても良い。例えば、スロットの開口部の内壁面側からユニットの収納方向にスロットの内壁面の背面側までの半分の長さで配置しても良い。
【００１５】
レール７ａは、レール６ａと嵌合する断面形状及び位置で、ユニット３ａの外壁面の後端から先端に配置し、レール７ｂは、レール６ｂと嵌合する断面形状及び位置で、ユニット３ｂの外壁面の後端から先端に配置し、レール７ｃは、レール６ｃと嵌合する断面形状及び位置で、ユニット３ｃの外壁面の後端から先端に配置する。
【００１６】
前記のような構造を持つことで、スロット２ａには、レール６ａと嵌合するレール７ａを持つユニット３ａしか、収納できない。他のスロットも同様に、スロット側のレールと嵌合するユニット側のレールを持つユニットしか、収納できない。
また、スロット２ａに、ユニット３ａ以外のユニット、例えば、ユニット３ｂを収納しようとしても、ユニット３ｂの外壁面の後端に配置したレール７ｂにより、ユニット３ｂの収納時点で誤収納できない。
【００１７】
なお、１スロット当たりのレールの配置面数は、この発明の実施の形態１で配置面数を１面とするものに限定されず、２面以上にすれば、レールの断面形状の種類が少なくても、誤収納防止のパターンを多く設定できる。
１スロット当たりのレールの配置面数を２面にした場合を、以下に説明する。
誤収納防止のパターン１では、図２の（ａ）のように、各スロットの内壁面の上面側にレール６ａを配置して、各スロットの内壁面の下面側に、レール６ａとレール６ｂとレール６ｃとをそれぞれ配置する。
誤収納防止のパターン２では、図２の（ｂ）のように、各スロットの内壁面の上面側にレール６ｂを配置して、各スロットの内壁面の下面側に、レール６ａとレール６ｂとレール６ｃとをそれぞれ配置する。
誤収納防止のパターン３では、図２の（ｃ）のように、各スロットの内壁面の上面側にレール６ｃを配置して、各スロットの内壁面の下面側に、レール６ａとレール６ｂとレール６ｃとをそれぞれ配置する。
前記のように、スロットにおいて、内壁面の上面側と内壁面の下面側とにレールを配置すれば、レールの断面形状の組合せにより、誤収納防止のパターンを設定できる。
【００１８】
この発明の実施の形態１によれば、ユニットの収納時点で誤収納に気付くことができ、ユニットを損傷させない電気装置を提供できる。
また、レールの断面形状の種類が少なくても、１スロット当たりのレールの配置面数を２面以上にすれば、誤収納防止のパターンを多く設定できるので、レールの断面形状を加工するコストの削減が図れる。
【００１９】
実施の形態２．
この発明の実施の形態２は、第１のレールが同一断面形状で、スロット毎にスロットの開口部の内壁面側の異なる位置に第１のレールを配置し、第１のレールと嵌合する第２のレールをユニットの外壁面の後端から先端に配置する電気装置である。
図３は、この発明の実施の形態２における電気装置の誤収納防止構造の斜視図である。図３において、（ａ）は、電子機器用筐体側の斜視図であり、（ｂ）は、ユニット側の斜視図である。
【００２０】
この発明の実施の形態２における電気装置の誤収納防止構造について、図３をもとに説明する。
この発明の実施の形態１と同様の構造は、同一の符号を付して、その説明を省略する。
スロット側のレールは、同一の断面形状として、レール６ａとレール６ｂとレール６ｃとは長方形とする。
なお、レールの断面形状は、この発明の実施の形態２に限定されず、種々のパターンがあることは言うまでもない。
【００２１】
レール６ａは、スロット２ａの開口部の内壁面側において、上辺の中心から左側に寄せた位置からユニット３ａの収納方向にスロット２ａの内壁面の背面側まで配置し、レール６ｂは、スロット２ｂの開口部の内壁面側において、上辺の中心の位置からユニット３ｂの収納方向にスロット２ｂの内壁面の背面側まで配置し、レール６ｃは、スロット２ｃの開口部の内壁面側において、上辺の中心から右側に寄せた位置からユニット３ｃの収納方向にスロット２ｃの内壁面の背面側まで配置する。
なお、スロットの開口部の内壁面側において、上辺におけるレールの位置は、この発明の実施の形態２に限定されず、種々のパターンがあることは言うまでもない。
【００２２】
前記のような構造を持つことで、この発明の実施の形態１と同様に、スロット側のレールと勘合するユニット側のレールを持つユニットしか収納できず、誤ったユニットを収納しようとしても、ユニットの外壁面の後端に配置したレールにより、ユニットの収納時点で誤収納できない。
【００２３】
なお、１スロット当たりのレールの配置面数は、この発明の実施の形態２で配置面数を１面とするものに限定されず、２面以上にすれば、レールの位置の種類が少なくても、誤収納防止のパターンを多く設定できる。
例えば、１スロット当たりの配置面数を２面として、スロットにおいて、内壁面の上面側と内壁面の下面側とにレールを配置すれば、レールの位置の組合せにより、誤収納防止のパターンを設定できる。
【００２４】
この発明の実施の形態２によれば、この発明の実施の形態１と同様に、ユニットの収納時点で誤収納に気付くことができ、ユニットを損傷させない電気装置を提供できる。
また、レールの位置の種類が少なくても、１スロット当たりのレールの配置面数を２面以上にすれば、誤収納防止のパターンを多く設定できるので、レールの位置を加工するコストの削減が図れる。
【００２５】
実施の形態３．
この発明の実施の形態３は、レールを、スロットとユニットと着脱可能とする電気装置である。
図４は、この発明の実施の形態３における電気装置の誤収納防止構造の斜視図である。図４において、（ａ）は、電子機器用筐体側の斜視図であり、（ｂ）は、ユニット側の斜視図である。図５は、この発明の実施の形態３における誤収納防止のパターンの説明図である。図５において、（ａ）は、誤収納防止のパターン４の説明図であり、（ｂ）は、誤収納防止のパターン５の説明図である。
【００２６】
この発明の実施の形態３における電気装置の誤収納防止構造について、図４をもとに説明する。
この発明の実施の形態１と同様の構造は、同一の符号を付して、その説明を省略する。
着脱可能な凸側のレールは、全て異なる断面形状として、レール８ａは台形とし、レール８ｂは三角形とし、レール８ｃは長方形が２個とする。
なお、凸側のレールの断面形状は、この発明の実施の形態３に限定されず、種々のパターンがあることは言うまでもない。
また、この発明の実施の形態３では、着脱可能な凸側のレールを、全て異なる断面形状としたが、この発明の実施の形態２と同様に、同一断面形状として、異なる位置のレールとしても良い。
【００２７】
レール８ａは、スロット２ａの開口部の内壁面側からユニット３ａの収納方向にスロット２ａの内壁面の背面側までの大きさとし、取り付け板１０を介してスロット２ａの内壁面の上面側に取り付けられる。
レール８ｂは、スロット２ｂの開口部の内壁面側からユニット３ｂの収納方向にスロット２ｂの内壁面の背面側までの大きさとし、取り付け板１０を介してスロット２ｂの内壁面の上面側に取り付けられる。
レール８ｃは、スロット２ｃの開口部の内壁面側からユニット３ｃの収納方向にスロット２ｃの内壁面の背面側までの大きさとし、取り付け板１０を介してスロット２ｃの内壁面の上面側に取り付けられる。
なお、スロット側の着脱可能なレールの取り付け位置は、この発明の実施の形態３でスロットの内壁面の上面側とするものに限定されず、スロットの内壁面の下面側にしてもよく、種々のパターンがあることは言うまでもない。
【００２８】
レール９ａは、着脱可能な凹側のレールで、レール８ａと嵌合する断面形状及び位置とし、ユニット３ａの外壁面の後端から先端までの大きさとし、ユニット３ａの外壁面の上面側に取り付けられる。
レール９ｂは、着脱可能な凹側のレールで、レール８ｂと嵌合する断面形状及び位置とし、ユニット３ｂの外壁面の後端から先端までの大きさとし、ユニット３ｂの外壁面の上面側に取り付けられる。
レール９ｃは、着脱可能な凹側のレールで、レール８ｃと嵌合する断面形状及び位置とし、ユニット３ｃの外壁面の後端から先端までの大きさとし、ユニット３ｃの外壁面の上面側に取り付けられる。
【００２９】
前記のような構造を持つことで、この発明の実施の形態１と同様に、スロットに取り付けたレールと嵌合するレールを取り付けたユニットしか収納できず、誤ったユニットを収納しようとしても、ユニットの外壁面の後端に取り付けたレールにより、ユニットの収納時点で誤収納できない。
【００３０】
なお、着脱可能なレールを、スロットとユニットとの間で付け替えれば、誤収納防止のパターンを多く設定できる。
ユニットにおいて、凹側のレールと凸側のレールとを付け替えた場合を、以下に説明する。
誤収納防止のパターン４では、図５の（ａ）のように、ユニット３ａの外壁面の上面側に凹側のレール９ａを取り付け、ユニット３ｂの外壁面の上面側に凹側のレール９ｂを取り付け、ユニット３ｃの外壁面の上面側に凹側のレール９ｃを取り付ける。
誤収納防止のパターン５では、図５の（ｂ）のように、ユニット３ａの外壁面の上面側に凸側のレール８ａを取り付け、ユニット３ｂの外壁面の上面側に凸側のレール８ｂを取り付け、ユニット３ｃの外壁面の上面側に凸側のレール８ｃを取り付ける。
前記のように、ユニットにおいて、凹側のレールを外壁面の上面側に取り付けるパターンと、凸側のレールを外壁面の上面側に取り付けるパターンとで、誤収納防止のパターンを設定できる。
【００３１】
この発明の実施の形態３によれば、スロット及びユニットの形状を統一することができ、スロット及びユニットを加工するコストの削減が図れると共に、ユニットを交換する時に着脱可能なレールを付け替えれば良いので、メンテナンス性が向上する。
また、着脱可能なレールの種類が少なくても、スロットとユニットとの間で着脱可能なレールを付け替えれば、誤収納防止のパターンを多く設定できるので、着脱可能なレールを加工するコストの削減が図れる。
【符号の説明】
【００３２】
１... 電子機器用筐体、
２ａ、２ｂ、２ｃ...スロット、
３ａ、３ｂ、３ｃ...ユニット、
４...スロット側の接続コネクタ（雌側）、
５...ユニット側の接続コネクタ（雄側）、
６ａ、６ｂ、６ｃ...スロット側のレール（凸側）、
７ａ、７ｂ、７ｃ...ユニット側のレール（凹側）
【図１】
2012186358.tif 000003
【図２】
2012186358.tif 000004
【図３】
2012186358.tif 000005
【図４】
2012186358.tif 000006
【図５】
2012186358.tif 000007